(57)【要約】【課題】比較的安価な設備費で、冷却効率を低減させることなく、一定方向の強い横風が吹いたときにできる方向性のある霧氷の生成が可能な人工霧氷展示装置の提供【解決手段】この発明の人工霧氷展示装置は、前部が開口した箱形の冷蔵庫１に、左右上下に間隔をおいて、冷気伝導部材からなる断面四角形の筒体２の後端を、冷凍庫１の背面に気密に取り付け、筒体２の前部に、筒体２の左右の側壁から内側に間隔をおき、筒体２の奥行きよりも短い巾の左右の整風壁４，４を立設し、整風壁４，４の後端に壁５を固定し、壁５の後部の空間部６に、送風機７を設置し、霧発生器８の霧噴出口１０を設置し、冷凍庫１の冷却室１１に冷却器１２を設置し、整風壁４，４と筒体２の床ｂと天井ｃとで形成される開口部をガラス窓１３で密閉し、ガラス窓１３を除く、筒体２と冷凍庫１との残余の開口部を断熱壁１４で密閉している。【選択図】図２
2005147555.tif 000002
【特許請求の範囲】
【請求項１】
前部が開口した箱形の冷蔵庫（１）に、左右上下に所定の間隔をおいて、冷気伝導部材からなる断面四角形の筒体（２）の後端を、前記冷凍庫（１）の背面（３）に気密に取り付け、該筒体（２）の後部の開口部を密閉し、
該筒体（２）の前部に、該筒体（２）の左右の側壁（ａ，ａ）から内側に間隔をおき、該筒体（２）の奥行き（Ｌ）よりも所定長だけ短い巾（Ｗ）の左右の整風壁（４，４）を立設し、該左右の整風壁（４，４）の後端に壁（５）を固定し、
該壁（５）と前記筒体（２）及び前記冷凍庫（１）の背面（３）とで形成される空間部（６）に、送風機（７）を設置するとともに、霧発生器（８）で発生した霧（９）を噴出させる霧噴出口（１０）を設置し、
前記冷凍庫（１）の冷却室（１１）に冷却器（１２）を設置し
前記左右の整風壁（４，４）と前記筒体（２）の床（ｂ）と天井（ｃ）とで形成される開口部をガラス窓（１３）で密閉し、
前記ガラス窓（１３）部を除く、前記筒体（２）と前記冷凍庫（１）との残余の開口部を断熱壁（１４）で密閉したことを特徴とする人工霧氷展示装置
【発明の詳細な説明】
【技術分野】
【０００１】
本発明は人口霧氷展示装置に関するものである。
【背景技術】
【０００２】
従来の人口霧氷生成装置は、密封状態の冷却室に樹木を配置し、冷却室外に設置した冷凍機に冷媒往復管で接続された冷却コイルと送風機を備えた冷却器で発生した冷却空気を冷却室内に吹き込み、冷却室を直接所定温度まで冷却し、冷却室外に設置した水タンクと空気圧縮機から二流体ノズルを介して、水と圧縮空気を同時に冷却室内に吹き込み、霧を噴出させるとともに、冷却室外に設置した別の空気圧縮機で発生した圧縮空気を冷却室内に吹き込み、気流を発生させ、その気流に乗せて前記霧を樹木に吹き付け、着氷させて霧氷を生成させる手段を備えた人工霧氷生成装置が知られている。
【０００３】
しかし、前記人工霧氷生成装置には、次のような問題点があった。
（１）冷却室に吹き込まれた圧縮空気は、冷却室の側壁、天井等に突き当たり、反射し、反射波となり、それらが複合された複雑な気流となり、自然界で強い一定方向の横風が吹いたときにできる方向性のある霧氷を実現させることができない。
（２）空気圧縮機等の高価な設備を設置しなければならないので、設備費が嵩む。
（３）冷却器を湿気の高い冷却室内に設置しているので、冷却コイルのフィンの周りに湿気が着氷し、フィン相互間の隙間が塞がれるため、冷却空気の吹き出し力が低下し、冷却効率が低減する。
【０００４】
【特許文献１】特開２０００−１４６３８８号公報
【特許文献１】特開２０００−１４６３８７号公報
【特許文献１】特開２０００−１４６３８６号公報
【特許文献１】特開２０００−１４６３７７号公報
【発明の開示】
【発明が解決しようとする課題】
【０００５】
この発明は、背景技術で記述した問題点を解消するためになされたもので、比較的安価な設備費で、冷却効率を低減させることなく、一定方向の強い横風が吹いたときにできる方向性のある霧氷の発生が可能な人工霧氷展示装置の提供を目的とするものである。
【課題を解決するための手段】
【０００６】
この発明の人工霧氷展示装置は、前部が開口した箱形の冷蔵庫に、左右上下に所定の間隔をおいて、冷気伝導部材からなる断面四角形の筒体の後端を、前記冷凍庫の背面に気密に取り付け、該筒体の後部の開口部を密閉し、該筒体の前部に、該筒体の左右の側壁から内側に間隔をおき、該筒体の奥行きよりも所定長だけ短い巾の左右の整風壁を立設し、該左右の整風壁の後端に壁を固定し、該壁と前記筒体及び前記冷凍庫の背面とで形成される空間部に、送風機を設置するとともに、霧発生器で発生した霧を噴出させる霧噴出口を設置し、前記冷凍庫の冷却室に冷却器を設置し、前記左右の整風壁と前記筒体の床と天井とで形成される開口部をガラス窓で密閉し、該ガラス窓を除く、記筒体と前記冷凍庫との残余の開口部を断熱壁で密閉したことを特徴とするものである。
【発明の効果】
【０００７】
（１）展示室に配置した樹木や草等の展示物に一定方向、一定速度の霧を含んだ横風を吹き付け、方向性のある霧氷を付着させることができる。
（２）冷却器を設置している冷却室には霧の流入が全くなく、高湿度にならないので、冷却器の冷却コイルのフィンへの着氷を防止又は低減できるため、冷却器の冷却効率の低減を防止できる。
（３）空気圧縮機等の高価な設備は必要でなく、送風機を設置するだけでよいので、設備費が嵩まない。
【発明を実施するための最良の形態】
【０００８】
比較的安価な設備費で、冷却効率を低減させることなく、一定方向の強い横風が吹いたときにできる方向性のある霧氷の生成が可能な人工霧氷展示装置の提供という目的を、展示室を所定温度に間接冷却し、展示室の左右の整風壁の一方から一定方向、一定速度の霧を含んだ横風を吹き込むことによって実現できた。
【実施例】
【０００９】
この発明の実施の一例を図面を参照しながら説明する。図１に示すように、前部が開口した箱形の冷蔵庫１に、左右上下に所定の間隔をおいて、冷気伝導部材からなる断面四角形の筒体２の後端を、冷凍庫１の背面３に気密に取り付け、筒体２の後部の開口部を密閉している。なお、冷気伝導部材は、銅板、アルミ板、ステンレス板、トタン板等からなる金属板である。また、筒体２は、左右の側壁ａ，ａ、床ｂ、天井ｃが一体的に連続し、結合部がない筒状構造である必要はなく、左右の側壁ａ，ａ、床ｂ、天井ｃを個々に結合し、結合部から霧９が外部に漏れないように、パテ等によって気密処理を施して、筒状に仕上げた構造であればよい。
【００１０】
前記上下左右に所定の間隔とは、例えば、図３に示すように、冷凍庫１の左側に冷却器１２を設置するための間隔であり、右側と上下の間隔は、冷却器１２の冷却空気を矢印Ｘで示す流れで循環させるための間隔である。なお、図１、図３において、１５は、下側の間隔を得るためのスペ−サとなる支柱である。当然の事ながら、冷却器１２を、冷凍庫１の右側に設置してもよい。
【００１１】
筒体２の前部に、筒体２の左右の側壁ａ，ａから内側に間隔をおき、筒体２の奥行きＬよりも所定長だけ短い巾Ｗの左右の整風壁４，４を立設し、左右の整風壁４，４の後端に壁５を固定している。
【００１２】
筒体２の奥行きＬよりも所定長だけ短い巾Ｗとは、例えば、図２に示すように、壁５の後方部に、壁５と筒体２及び冷凍庫１の背面３とで形成される空間部６を設け、この空間部６に、送風機７や霧発生器８で発生した霧９を噴出させる霧噴出口１０の設置が可能なスペ−スを確保するために必要な巾Ｗである。また、整風壁４，４を筒体２の左右の側壁ａ，ａから内側に間隔をおいて立設しているのは、風洞として作用する間隙を確保するためである。
【００１３】
整風壁４，４は、例えば、図４に示すように、整風板１６が、間隔を置いて格子状に配列されており、整風壁４，４を吹き抜けるとき、風は一定方向に整風されるようになっている。なお、図４に図示した整風壁４，４は一例であって、この構成に限定されるものではなく、風を一定方向に整風できる機構を備えた壁は全て適用できる。
【００１４】
壁５と筒体２及び冷凍庫１の背面３とで形成される空間部６に、例えば、図２に示すように、送風機７を設置するとともに、霧発生器８で発生した霧９を噴出させる霧噴出口１０を設置している。
なお、図２において、１７は吸気管で、霧９の噴出時には、霧発生室１８の気圧低下及び空間部６と展示室Ａの気圧上昇を防止し、霧９の噴出を容易にするために、吸気管１７のバルブ１７ａを開き吸気の状態にしている。
【００１５】
送風機７を駆動し、空間部６に霧９を噴出させると、例えば、図２に示すように、霧９は矢印Ｙで示す風に乗り、右側の整風壁４を通過するとき、一定方向に整風され、霧９を乗せた一定方向の横風が展示室Ａに吹き込まれ、展示物Ｂに突き当たり、着氷し、方向性のある霧氷を生成させる。
【００１６】
なお、霧発生器８には、微細な水蒸気を発生できる市販の超音波加湿器等を使用することができる。噴出する霧の量は、霧発生器８のバルブ８ａの開閉度合いを調節して行う。
【００１７】
左右の整風壁４，４と筒体２の床ｂと天井ｃとで形成される開口部を、図２に示すように、ガラス窓１３で密閉し、さらにガラス窓１３を除く、筒体２と冷凍庫１との残余の開口部を、図２に示すように、断熱壁１４で密閉している。なお、ガラス窓１３には、観察し易いように、結露しない機能を備えたガラス窓の使用が好ましい。
【産業上の利用可能性】
【００１８】
自然界で強い一定方向の横風が吹いたときにできる方向性のある霧氷を生成させ、展示することができるので、教育機関等における学習用の用途としても利用が可能である。
【図面の簡単な説明】
【００１９】
【図１】発明の一実施例を示す組立工程の概略斜視図
【図２】冷凍庫の天井部、筒体の天井部を除去した状態における平面図
【図３】前面の断熱壁及び窓ガラスを除去した状態における正面図
【図４】整風壁の実施の一例を示す概略斜視図
【符号の説明】
【００２０】
１ 冷凍庫
２ 筒体
３ 冷凍庫の背面
４ 整風壁
５ 壁
６ 空間部
７ 送風機
８ 霧発生器
８ａ バルブ
９ 霧
１０ 霧噴出口
１１ 冷却室
１２ 冷却器
１３ ガラス窓
１４ 断熱壁
１５ 支柱
１６ 整風板
１７ 吸気管
１７ａ バルブ
１８ 霧発生室
Ａ 展示室
Ｂ 展示物
Ｌ 筒体の奥行き
Ｗ 整風壁の巾
Ｘ，Ｙ 矢印
ａ 筒体の側壁
ｂ 筒体の床
ｃ 筒体の天井
【図１】
2005147555.tif 000003
【図２】
2005147555.tif 000004
【図３】
2005147555.tif 000005
【図４】
2005147555.tif 000006